(57)【要約】【課題】  巻真の引出しに応じた針合せを可能にすると共に針合せの際衝撃を受けても秒針が振れるのを防ぎ得る三番車外し構造及びこれを備えた時計を提供すること【解決手段】  時計１の三番車外し構造２では、巻真２１のＡ１、Ａ２方向の出入れに応じて基体１０に対して平面内で回動されるレバー７０が、巻真２１の引出しに応じて三番かな６２に押付けられ該三番かな６２を二番歯車４１から離間させる三番かな規正部７４を備える。三番真６７が嵌合される穴部１２を備え三番車６０を二番車４０との噛合位置に弾性的に偏倚させる三番車偏倚ばね１１を更に有し、レバー７０の三番かな規正部７４が、巻真２１の引出しに応じて三番かな６２に押付けられ三番車偏倚ばね１１の弾性偏倚力に抗して該三番かな６２を二番歯車４１から離間させる。ばね１１は、基体１０に形成されていても、レバー７０に形成されていてもよい。【選択図】図４
2006234440.tif 000002
【特許請求の範囲】
【請求項１】
巻真の出し入れに応じて基体に対して平面内で回動されるレバーが、前記巻真の引出しに応じて三番かなに押付けられ該三番かなを二番歯車から離間させる三番かな規正部を備える三番車外し構造。
【請求項２】
三番真が嵌合される穴部を備え三番車を二番車との噛合位置に弾性的に偏倚させる三番車偏倚ばねを更に有し、前記レバーの三番かな規正部が、前記巻真の引出しに応じて三番かなに押付けられ三番車偏倚ばねの弾性偏倚力に抗して該三番かなを前記二番歯車から離間させる請求項１に記載の三番車外し構造。
【請求項３】
前記ばねが、基体に形成されている請求項２に記載の三番車外し構造。
【請求項４】
前記ばねが、前記レバーに形成されている請求項２に記載の三番車外し構造。
【請求項５】
巻真の出し入れに応じて基体に対して平面内で回動されるレバーと、
前記基体に形成され、三番真が嵌合される穴部を備え三番車を二番車との噛合位置に弾性的に偏倚させる三番車偏倚ばねとを有する三番車外し構造であって、
前記レバーが、前記巻真の引出しに応じて三番かなに押付けられ三番車偏倚ばねの弾性偏倚力に抗して該三番かなを二番歯車から離間させる三番かな規正部を有する三番車外し構造。
【請求項６】
請求項１から５までのいずれか一つの項に記載の三番車外し構造を備えた時計。
【発明の詳細な説明】
【技術分野】
【０００１】
本発明は、時計の三番車外し構造に係る。
【背景技術】
【０００２】
巻真の出し入れに応じて地板に対して平面内で回動されるレバーに三番車のほぞが嵌るほぞ保持部を設け、巻真の引出しに伴う回動に応じたほぞ保持部の移動により三番車を二番車から外すようにした三番車外し構造は知られている（特許文献１、特許文献２）。
【０００３】
この特許文献１に開示された三番車外し構造では、巻真の引出しに伴って回動するレバーにより三番車が二番車から外されることにより、巻真を回すことによる針合せの際、時針及び分針が回転されても二番車（分車）の回転が秒針に回転が伝達されるのを避け得る。
【０００４】
しかしながら、この特許文献１に開示の三番車外し構造では、三番車及びこれに噛合した四番車（秒車）の回転がフリーになるので、針合せの際、衝撃を受けると秒針が振れる虞れある。
【特許文献１】実公昭６３−２９２７０号公報
【特許文献２】特開昭６３−１７３９９１号公報
【発明の開示】
【発明が解決しようとする課題】
【０００５】
本発明は前記した点に鑑みなされたものであって、その目的とするところは、巻真の引出しに応じた針合せを可能にすると共に針合せの際衝撃を受けても秒針が振れるのを防ぎ得る三番車外し構造及びこれを備えた時計を提供することにある。
【課題を解決するための手段】
【０００６】
本発明の三番車外し構造は、前記目的を達成すべく、巻真の出し入れに応じて基体に対して平面内で回動されるレバーが、巻真の引出しに応じて三番かなに押付けられ該三番かなを二番歯車から離間させる三番かな規正部を備える。
【０００７】
本発明の三番車外し構造では、「巻真の出し入れに応じて基体に対して平面内で回動されるレバーの三番かな規正部が、巻真の引出しに応じて三番かなを二番歯車から離間させる」ので、巻真の引出しに応じて三番車と二番車との噛合が解除され、引出位置にある巻真を回すことによる針合せの際、時針及び分針が回転されても二番車（分車）の回転が三番車を介して秒車に伝達されるのを避け得、秒針が回るのを避け得る。また、本発明の三番車外し構造では、特に、「レバーの三番かな規正部が三番かなを二番歯車から離間させる際、巻真の引出しに応じて三番かなに押付けられる」ので、三番車の回転がレバーの三番かな規正部によって規正（規制）・禁止され得る。従って、三番に噛合した四番車（秒車）の回転は、三番車が二番車から外された状態においても、三番車によって禁止され得るから、針合せの際に衝撃等を受けても秒針が振れる虞れがない。
【０００８】
本発明の三番車外し構造では、三番真がレバーの三番かな規正部によって変位され得る限りどのように支持されていてもよいけれども、典型的には、「三番真が嵌合される穴部を備え三番車を二番車との噛合位置に弾性的に偏倚させる三番車偏倚ばねを更に有し、前記レバーの三番かな規正部が、巻真の引出しに応じて三番かなに押付けられ三番車偏倚ばねの弾性偏倚力に抗して該三番かなを二番歯車から離間させる」。
【０００９】
この場合、巻真が押込まれて通常運針位置（０段目）に戻されると、三番車偏倚ばねが三番車を偏倚させて三番車を二番車に再度噛合させ得る。また、三番車偏倚ばねの弾性偏倚力が三番かな規正部による三番かなの回転の規正力を与えることも可能になる。
【００１０】
この三番車偏倚ばねは、典型的には、地板の如き板状支持体のように時計のケースに対して静置される基体に形成される。但し、所望ならば、ケースに対して可動な部品に三番車偏倚ばねを形成してもよく、例えば、レバー自体に三番車偏倚ばねを形成してもよい。
【００１１】
前者の場合、本発明の三番車外し構造は、「巻真の出し入れに応じて基体に対して平面内で回動されるレバーと、前記基体に形成され、三番真が嵌合される穴部を備え三番車を二番車との噛合位置に弾性的に偏倚させる三番車偏倚ばねとを有する三番車外し構造であって、レバーが、巻真の引出しに応じて三番かなに押付けられ三番車偏倚ばねの弾性偏倚力に抗して該三番かなを二番歯車から離間させる三番かな規正部を有する三番車外し構造」の形態を採る。
【００１２】
このような三番車外し構造を備えた時計では、コストを最低限に抑えつつ針合せの際における秒針の振れを防止し得る。
【発明を実施するための最良の形態】
【００１３】
次に、本発明の好ましい一実施の形態を添付図面に示した好ましい実施例に基づいて説明する。
【実施例】
【００１４】
図１から図５に示した本発明による好ましい一実施例において、時計１は、地板１０（例えば、図２）に対してＡ１、Ａ２方向に引出し・押込み可能で、中心軸線Ｂのまわりで回転可能な巻真２１を備える。巻真２１は、先端部２２に角柱状部２３及び小径部２４を備える。巻真２１の先端部２２にはクラッチとして働くつづみ車２５が嵌合されている。つづみ車２５は、巻真２１の角柱状部２３と係合可能な角筒状穴部を備え、端部につづみ歯車部２６を備える。つづみ車２５は、Ａ１、Ａ２方向変位が規制された状態で地板１０の凹部（図示せず）に配置されており、巻真２１がＡ２方向に押込まれた通常運針位置（巻真０段目）にある状態Ｓ１（図１及び図２）では、中心軸線Ｂのまわりで回転自在に小径部２４に嵌合され、巻真２１がＡ１方向に引出された針合せ位置（巻真１段目）にある状態Ｓ２（図４及び図５）では、角柱状部２３に嵌合されて中心軸線Ｂのまわりで巻真２１と一体的に回転可能である。
【００１５】
図２に示したように、地板１０の文字板側には、中心軸線Ｃのまわりで回転可能に筒車（時車）３０が配置され、地板１０と輪列受２７との間には、筒車３０と同軸に二番車（分車）４０及び四番車（秒車）５０が回転可能に配置されている。二番車４０の近くには、三番車６０が配置されている。
【００１６】
三番車６０は、三番真６７の一端６８で輪列受２７の軸受部２８により回転自在に支持され、他端部６９で地板１０のばね部１１の軸受穴１２に回転自在に支持されている。
【００１７】
より詳しくは、地板１０は、図１に加えて図３の拡大図に示したように、地板本体部１３に形成された細長い開口１４を備え、該開口１４には、細長い腕部１５及び先端軸受部１６を備えたばね部１１が突出している。三番車偏倚ばねとしてのばね部１１では、腕部１５の基端部１５ａが開口１４の長手方向の一端１４ａにおいて地板本体部１３に連続的につながっている。従って、ばね部１１は、基端部１５ａを基準にしてＤ１、Ｄ２方向に回動ないし揺動可能である。ばね部１１の先端軸受部１６には、前述の軸受穴１２が形成されている。開口１４の側縁１４ｂ、１４ｃとばね部１１との間の間隙１４ｄ、１４ｅは、中心軸線Ｃに近接する側（１４ｄ）よりも中心軸線Ｃから離れた側（１４ｅ）で大きく、ばね部１１がＤ１方向に大きく揺動可能である。なお、図２からわかるように、ばね部１１の厚さは、地板１０の本体部１３の厚さと比較して十分に薄く、ばね部１１は、Ｄ１、Ｄ２方向に撓むように弾性的に変形可能である。
【００１８】
三番車６０は三番歯車６１と細長い三番かな６２とを有し、図１及び図２に示した巻真０段目状態（通常運針位置）Ｓ１では、細長い三番かな６２がその裏蓋側部分６３で二番車４０の二番歯車４１に噛合し、三番歯車６１が四番車５０の四番かな５２に噛合している。すなわち、後述のように三番かな６２にレバー７０による力がかかっていない状態では、三番かな６２は、ばね部１１のＤ２方向偏倚力により、四番歯車５１に押付けられた状態で該四番歯車５１に噛合している。なお、二番車４０の二番かな４２は日の裏車２８（図１）を介して筒車３０に結合されている。一方、四番車５０の四番歯車５１は五番車５３を介してモータのロータ５４に結合されている。
【００１９】
地板１０上には、タツノオトシゴ状のレバー７０がレバー軸７１のまわりでＥ１、Ｅ２方向に回動可能に配設されている。レバー７０は、巻真２１の先端部２２の先端係合部２２ａに当接される巻真当接部７２を先端に備えた腕部７３を軸７１の一方の側に有し、三番かな６２の文字板側部分６４に当接可能な三番かな規正部としての三番かな当接・規正部７４を中間部に備えた腕部７５を他方の側に有する。腕部７５の先端部には、Ｕ字状のばね部７６が形成され、ばね部７６の先端部７７は地板１０に形成された係止突起部１８に係止されている。従って、レバー７０には、Ｕ字状ばね部７６により、Ｅ１方向偏倚力が働いている。
【００２０】
以上において、時計１の三番車外し構造２は、三番かな当接・規正部７４を備えたレバー７０とばね部１１を備えた地板１０とからなる。
【００２１】
図１及び図２に示したように巻真２１がＡ２方向に押込まれた通常運針位置（巻真０段目状態）Ｓ１にある場合、巻真２１の先端部２２の先端係合部２２ａがレバー７０の腕部７３の当接部７２をＦ１方向に押すので、腕部７３を介して腕部７５にＥ２方向偏倚力が加えられる。従って、三番かな当接・規正部７４も、Ｕ字状ばね部７６のばね力に抗して、軸７１を中心としてＥ２方向に回動偏倚される。その結果、図２に示したように、三番かな当接・規正部７４がＨ１方向に変位されて地板１１の係止突起部１９に当接する。このとき、レバー７０の三番かな当接・規正部７４と三番かな６２との間には間隙Ｇが形成される。即ち、三番かな当接・規正部７４は、三番かな６２から離間状態に保たれる。このとき、ばね部１１は、図１に示したように、軸受部１６において三番真６７の先端部６９を介して三番かな６２にＤ２方向の偏倚力を及ぼしており、三番かな６２は、裏蓋側部分６３で二番歯車４１に噛合されている。従って、電池２９から給電されたモータのロータ５４の回転が五番車５３を介して四番車５０に伝達され、更に、三番車６０を介して二番車４０に伝達されると共に、日の裏車２８を介して筒車３０に伝達されて、時刻表示針（図示せず）の通常の運針が行なわれる。
【００２２】
なお、以上において、ばね部１１が三番かな６２に及ぼすＤ２方向偏倚力は、三番かな６２と二番歯車４１との間の噛合・回転を支えるに足ればよく、該噛合が解除されたり不十分になるのを妨げ得る限り、噛合状態では、実際上ゼロに近い偏倚力ないし押圧力であってもよい。
【００２３】
一方、図４及び図５に示したように巻真２１がＡ１方向に引出された針合せ位置（巻真１段目状態）Ｓ２に設定されると、巻真２１の引出しに伴い巻真２１の先端部２２の先端係合部２２ａがレバー７０の巻真当接部７２から離間する。これによりレバー７０に対するＥ２方向偏倚力がなくなるので、レバー７０は、Ｕ字状ばね部７６によりＥ１方向に回動偏倚される。その結果、レバー７０の三番かな当接・規正部７４がＨ２方向に変位されて、側縁部７４ｂが地板１０の係止突起部１９から離れ、三番かな６２の文字板側部分６４に側縁部７４ａでＨ２方向に押付けられる。従って、三番真６７の端部６９を支持しているばね部１１の軸受部１６も開口１４内で間隙１４ｅの方へＤ１方向に揺動され、三番真６７が輪列受２７の軸受部２８により支持された端部６８を中心にＪ１方向に揺動されるから、三番かな６２と二番歯車４１との噛合が解除される。なお、レバー７０の三番かな当接・規正部７４が、ばね部１１のＤ２方向ばね力に抗して、側縁部７４ａで三番かな６２の歯にＨ２方向に押付けられているので、三番かな６２を含む三番車６０の回転は、三番かな当接・規正部７４により規正・禁止される。
【００２４】
この状態Ｓ２では、巻真２１を中心軸線Ｂのまわりで回転させると、つづみ車２５を介して、日の裏車２８が回転され、これに噛合した二番車４０及び筒車３０が回転されるので、図示しない分針及び時針の針合せが行なわれる。なお、三番車６０と二番車４０との噛合が三番かな当接・規正部７４により解除されているので、二番車４０の回転は、四番車５０には伝わらない。また、三番車６０の回転が三番かな６２に押付けられた三番かな当接・規正部７４により規正ないし禁止されているので、針合せの際に四番車５０が回転する虞れがなく、針合せの際に秒針（図示せず）が振れる（例えば、ピクピク動く）虞れもない。従って、コストを最低限に抑えつつ、針合せの際に秒針に不動の安定した挙動を採らせ得る。
【００２５】
以上においては、状態Ｓ１においてレバー７０の三番かな当接・規正部７４が地板１０の係止用突起部１９に当接する例について説明したけれども、その代わりに、状態Ｓ１においてレバー７０の他の部分が係止用突起部に当接するようにしておいてもよい。なお、所望ならば、係止用突起部はなくてもよい。
【００２６】
レバー７０は、巻真２１が０段目にある場合と１段目にある場合とに応じて、異なる位置を採ることから、該レバー７０は、典型的には、巻真２１が０段目にある場合と１段目にある場合とに応じてリセット端子（図示せず）に対して接離する接点部を備えたリセットレバーとして働く。但し、レバー７０は、巻真２１が０段目にあるか１段目にあるかを識別する情報が利用される任意の部分に関係付けられて、巻真２１の引き出し状態を表す情報を与える。なお、図示した例では、巻真２１の引出しが一段だけ行われるけれども、カレンダ機構を備えるような場合、巻真２１は二段の引出位置を有する。その場合、針合せが行われる状態Ｓ２は、通常、巻真２１を二段引き出した状態、巻真二段目状態になる。
【００２７】
以上においては、三番真６７の端部６９を支持する軸受部を備えたばね部が地板１０に形成されている例について説明したけれども、当該ばね部は、地板１０の代わりに、他の部材に形成ないし係合されていてもよい（なお、ケースに対して静置されている部材は地板１０と同等であるので地板１０とみなし得る）。
【００２８】
図６から図１０には、地板１０の代わりにレバーがばね部を備えている変形例の三番車外し構造１０２を有する時計１０１が示されている。この変形例の時計１０１において、図１〜図５に示した実施例の時計１と同じ部材ないし部位には同一の符号が付され、部分的に異なる部材ないし部位には、１００の位に１を加えた符号が付されている。
【００２９】
図６及び図９の平面図並びに図８の斜視図からわかるように、レバー１７０は、Ｕ字状ばね部１７６の基端側部分１７８から三番かな当接・規正部７４に隣接するところまで延びた三番車偏倚ばね部１１１を有する。三番車偏倚ばね部１１１は、腕部１１５の先端部に軸受穴１１２（図７等）を備えた軸受部１１６を有する。
【００３０】
レバー１７０は、腕部１１５以外の部分では、実質的に同一の平面内に位置し、地板１１０の表面１１０ａに沿って軸７１のまわりでＥ１、Ｅ２方向に回動可能である。
【００３１】
腕部１１５は、図８の斜視図からわかるように、基端部１１５ａから先端軸受部１１６に近づく程文字板側に位置するように、斜めに地板１１０の開口１１４（図７等）内に延びている。従って、図７及び図１０からわかるように、装着状態において、先端軸受部１１６の側縁１１６ａおよび１１６ｂは、地板１１０の開口１１４の側縁１１４ｃ、１１４ｂと水平方向に対面する。ここで、水平方向とは、中心軸線Ｃに垂直な平面の延在方向をいう。なお、レバー１１１の腕部１１５の基端１１５ａから１／３程度の部位の側縁１１５ｂに対して水平方向に対面するところに、地板１１０が湾曲した係止面１１３ａを備えた係止部１１３を有する。
【００３２】
以上のように構成された時計１０１の三番車外し構造１０２では、図６及び図７に示した巻真０段目状態Ｓ１では、巻真２１の先端部２２の先端係合部２２ａが腕部７３の巻真当接部７２に当接し該当接部７２をＦ１方向に押すので、レバー１７０がＥ２方向に回動され、腕部１７５もＥ２方向に回動される。その結果、レバー１７０の腕部１７５の当接・規正部７４が側縁７４ｂで地板１１０の係止突起部１９に当接する。なお、状態Ｓ１では、腕部７３が想像線で示す状態から実線で示す状態まで湾曲され、その弾性変形に起因するＥ２方向トルクに応じて、当接・規正部７４の側縁７４ｂが係止突起部１９に押付けられる。また、この状態Ｓ１では、図７からわかるように、レバー１７０の腕部１７５の当接・規正部７４は、側縁７４ａが三番かな６２の文字板側部分６４に対して間隙Ｇだけ離間した状態で、該文字板側部分６４に対面している。従って、図６及び図７に示されているとおり、三番かな６２の裏蓋側部分６３がばね部１１１により二番歯車４１に対してＤ２方向に押付けられる（少なくとも、三番かな６２の裏蓋側部分６３と二番歯車４１の噛合が解除されるのをばね部１１１が禁止している）。以上において、ばね部１１１が地板１１０の一部ではなくてレバー１７０の一部になっている点を除き、図１及び図２に示した場合と同様である。
【００３３】
一方、巻真２１がＡ１方向に引出されて巻真１段目状態Ｓ２になると、時計１０１の三番車外し構造１０２は、図９及び図１０に示した状態を採る。
【００３４】
巻真０段目状態Ｓ１から巻真１段目状態Ｓ２に移行する際、巻真２１の先端部２２の先端係合部２２ａがレバー１７０の腕部７３の巻真当接部７２から離れるので、Ｕ字状ばね７６によりレバー１７０（の腕部７３、１７５）がＥ１方向に回動される。従って、レバー１７０の腕部１７５がＥ１方向に回動され、それに応じてばね部１１１もＥ１方向に回動される。ばね部１１１がＥ１方向に少し回動されるとばね部１１１の腕部１１５の側縁部１１５ｂが地板１１０の係止部１１３に当接する。この段階では、三番真６７が多少Ｊ１方向に揺動されるけれども、三番かな６２と二番歯車４１とは噛合状態に保たれている。レバー１７０が更にＥ１方向に回動されると、それに応じて、腕部１７５の三番かな規正・当接部７４がＥ１方向に回動される。一方、ばね部１１１は係止部１１３により規制されているので、当接部７４が三番かな６２の文字板側部分６４に近接し、当接し、更には該部分６４をＥ１方向に押す。従って、ばね部１１１の先端側部分１１１ａは係止部１１３に当接した側縁部１１５ｂを中心としてＫ１方向に湾曲され、軸受部１１６がＫ１方向に揺動され、三番真６７がＪ１方向に揺動されて、三番かな６２と二番歯車４１との噛合が解除される。レバー１７０が更にＥ１方向に回動されると、三番かな当接・規制部７４がばね部１１１の先端側部分１１１ａを更にＫ１方向に湾曲させるように三番かな６２の対応部分６４に押付けられて、三番かな６２を規正する。
【００３５】
この状態Ｓ２では、図１０からわかるように、三番真６７が端部６８のまわりでＪ１方向に揺動されて、三番かな６２と二番歯車４１との噛合が解除される。従って、巻真２１の回転に伴う日の裏車２８の回転は、三番車６０及び四番車５０には伝わらない。また、三番かな６２の歯にレバー１７０の当接・規正部７４が押付けられるので、三番車６０の回転が禁止されているから、外部からの衝撃などがあっても四番車５０が回る虞れがなく、秒針が振れる虞れがない。
【図面の簡単な説明】
【００３６】
【図１】本発明による好ましい一実施例の三番車外し構造を備えた時計が巻真０段目にある状態を示した平面説明図。
【図２】図１の時計の断面説明図。
【図３】図１の時計の地板のばね部を示した斜視説明図。
【図４】図１の時計が巻真１段目にある状態を示した図１と同様な平面説明図。
【図５】図４の時計についての図２と同様な断面説明図。
【図６】本発明による変形例の三番車外し構造を備えた時計が巻真０段目にある状態についての図１と同様な平面説明図。
【図７】図６の時計についての図２と同様な断面説明図。
【図８】図６の時計のレバーのばね部等を示した斜視説明図。
【図９】図６の時計が巻真１段目にある状態を示した図６と同様な平面説明図。
【図１０】図９の時計についての図７と同様な断面説明図。
【符号の説明】
【００３７】
１、１０１  時計
２、１０２  三番車外し構造
１０、１１０  地板
１１、１１１  ばね部
１２、１１２  軸受穴
１４、１１４  開口
１４ａ  端部
１４ｂ、１４ｃ、１１４ｂ、１１４ｃ  側縁
１４ｄ．１４ｅ  間隙
１５、１１５  腕部
１６、１１６  軸受部
１８、１９  係止突起部
２１  巻真
２２  先端部
２２ａ  先端係合部
２５  つづみ車
２６  歯車部
２８  日の裏車
３０  筒車
４０  二番車
４１  二番歯車
４２  二番かな
５０  四番車
５１  四番歯車
５２  四番かな
６０  三番車
６１  三番歯車
６２  三番かな
６３  三番かなの裏蓋側部分
６４  三番かなの文字板側部分
６７  三番真
６８、６９  端部
７０、１７０  レバー
７１  レバー軸
７２  巻真当接部
７３、７５、１７５  腕部
７４  三番かな当接・規正部
７４ａ、７４ｂ  側縁部
７６、１７６  Ｕ字状ばね部
７７  先端部
１１１ａ  先端側部分
１１３  係止部
１１３ａ  係止面
１１５ａ  基端部
１１５ｂ  側縁部
１１６ａ、１１６ｂ  側縁
Ａ１、Ａ２  巻真の出入方向
Ｄ１、Ｄ２  ばね部の揺動方向
Ｅ１、Ｅ２  レバーの腕部の回動方向
Ｆ１  レバーの巻真当接部に対する巻真の回動偏倚力の方向
Ｇ  間隙
Ｈ１、Ｈ２  三番かな当接・規正部の変位方向
Ｊ１  三番真の揺動方向
Ｋ１  湾曲（揺動）方向
Ｓ０  巻真０段目状態
Ｓ１  巻真１段目状態
【図１】
2006234440.tif 000003
【図２】
2006234440.tif 000004
【図３】
2006234440.tif 000005
【図４】
2006234440.tif 000006
【図５】
2006234440.tif 000007
【図６】
2006234440.tif 000008
【図７】
2006234440.tif 000009
【図８】
2006234440.tif 000010
【図９】
2006234440.tif 000011
【図１０】
2006234440.tif 000012